(57)【要約】【課題】小型化された電気的接合施工の容易な火災報知設備用機器を提供する。【解決手段】箱型形状の筐体本体と扉によって筐体が構成され、前記筐体内に、一端側に電線接続部が配置されたプリント基板が設けられると共に、一端側の筐体本体の側壁と電線接続部との間であって、筐体本体の背面に外部導線入口が設けられている火災報知設備用機器において、電線接続部の位置に対応して筐体本体の側壁に段落ち状の凹部を設けると共に、凹部に対応して扉に凸部を設けた火災報知設備用機器。【選択図】図３
2007094760.tif 000002
【特許請求の範囲】
【請求項１】
筐体本体と扉によって筐体が構成され、前記筐体内に、一端側に電線接続部が配置されたプリント基板が設けられると共に、一端側の筐体本体の側壁と電線接続部との間であって、筐体本体の背面板に外部導線導入口が設けられている火災報知設備用機器において、電線接続部の位置に対向した、一端側の筐体本体の側壁に段落ち状の凹部を設けると共に、凹部に対応して扉に凸部を設けたことを特徴とする火災報知設備用機器。
【請求項２】
前記凹部の下端部の高さは、電線接続部の電線差込口の高さに対して、略同一の高さまたはそれ以下としたことを特徴とする請求項１記載の火災報知設備用機器。
【請求項３】
前記凹部の下端部の高さは、凹部内に拳を入れて指を伸ばしたときに、延ばした指先が外部電線導入口から背面板の背面側に至る程度の高さであることを特徴とする請求項２記載の火災報知設備用機器。
【発明の詳細な説明】
【技術分野】
【０００１】
本発明は、火災報知設備用機器、詳しくは小型化された電気的接合施工作業の容易な火災報知設備用機器に関するものである。
【背景技術】
【０００２】
通常、火災報知設備用機器、例えば火災受信機は、箱型形状の筐体本体と扉によって筐体が構成され、筐体本体には、電線接続部を搭載したプリント基板等が設けられている。
また、筐体本体の背面板には外部導線導入口が設けられ、ここから外部導線を内部に引き入れて、電線接続部に接続している。（例えば、特許文献１参照）
【特許文献１】特開２００１−１１１６６２号公報（図７）
【発明の開示】
【発明が解決しようとする課題】
【０００３】
外部導線を火災報知設備用機器の電線接続部に接続するためには、施工者には、イ）外部から筐体本体内部への外部導線の引き込み作業、およびロ）引き込まれた外部導線を接合のため適宜屈曲する作業、ハ）外部導線の電線端をプリント基板の電線接続部に接続する作業が伴う。
通常、前記電線接続部は、電線がプリント基板に搭載された電気部品に直接接触して破損しないように、外部導線の立ち上がり位置に近いプリント基板の一端側に設けられており、また、外部導線導入口は、その一端側の筐体本体の側壁と、電線接続部との間に設けられている。
従って、このイ）、ロ）、ハ）の作業を施工するためには、前記一端側の筐体本体の側壁と電線接続部との間に応分の施工スペース、すなわち拳一個分程度の施工スペースを確保する必要がある。  この施工スペースを確保することにより、その分横幅方向に筐体のサイズが大きくなり、またこれに伴い、コスト、重量が大きくなってしまう嫌いがあった。
また、この応分の施工スペースを確保する方法以外の方法としては、電線接続部を筐体本体内の筐体本体の開口縁部より突出するような高い位置に配置することも考えられるが、これも厚み方向に筐体サイズが大きくなり、コスト、重量的に好ましくない。
【０００４】
本発明はこれらに鑑み、筐体サイズを小型化しても、応分の施工スペースが確保でき、且つ、外部導線をプリント基板の電線接続部に容易に接続し得る火災報知設備用機器を提供することをその目的としている。
【課題を解決するための手段】
【０００５】
本発明の、火災報知設備用機器は、
１）箱型形状の筐体本体と扉によって筐体を構成し、前記筐体内に、一端側に電線接続部が配置されたプリント基板を設け、該一端側の筐体本体の側壁と電線接続部との間であって、筐体本体の背面板に外部導線導入口を設けた火災報知設備用機器において、電線接続部の位置に対向した一端側の筐体本体の側壁に所定の段落ち状の凹部を設け、該凹部に対応した凸部を扉に設けたものである。
２）また、上述の１）において、前記凹部の下端部の高さは、電線接続部の電線差込口の高さに対して、略同一の高さまたはそれ以下としたものである。
３）上述の２）において、前記凹部の下端部の高さは、凹部内に拳を入れて指を伸ばしたときに、延ばした指先が外部電線導入口から背面板の背面側に至る程度の高さとしたものである。
【０００６】
すなわち、 小型化された筐体においても、施工スペースを十分確保して、外部導線の電線を電線接続部へ接続固定する作業を容易に施工できるようにしたものであり、具体的には、外部導線導入口、電線接続部が配置されている側の筐体本体側壁の一部を、所定高さ段落ちさせることにより、筐体外部のスペースを施工として活用して、施工スペースを確保するものである。
【発明の効果】
【０００７】
本発明の火災報知設備用機器により、施工者は施工スペースとして筐体外部の施工スペースを活用することができ、筐体内部の施工スペースとしては、一端側の筐体本体の壁側と電線接続部との間の空間、つまり外部導線導入口のある空間だけで足り、筐体本体内における施工専用スペースが不要となる。そのため、横幅方向および厚み方向に筐体サイズが大きくなることはなく、筐体サイズの小型化、それに伴う省コスト、省重量化を図かりつつも、施工性を良くすることができる。
【発明を実施するための最良の形態】
【０００８】
［実施の形態１］
図１は、本実施の形態１における筐体の外観図である。
図２は、本実施の形態１における筐体の扉を開放した状態の概要を示す斜視図である。
図３は、本実施の形態１における概要を説明するための斜視参考図である。
図４は、本実施の形態１における外部導線と電線接続部との関連を説明する参考図である。
なお図２、３においては、予備電源としてのバッテリおよび各種の配線等の記載は省略されている。
図において、１は筐体本体、１ｓは筐体本体の一側壁としての左側壁、１ｅは筐体本体１ｓの左側壁の前面側縁部、１ｈは筐体本体１ｓの背面板、２は扉、３は筐体本体１および扉２からなる筐体、４はプリント基板、５は外部導線、５ａは外部導線の電線、６はバッテリ用の棚部、８はバッテリ用のストッパ、１５はスピーカ、１６は外部電源用のトランス、１７は外部導線導入口、１９は操作・表示部、２０はプリント基板の一端側に配置されたいわゆる端子台による電線接続部、２０ａは電線接続部２０の電線差込口、２２は左側壁１ｓに設けられた段落ち状の凹部、２３は凹部２２に対応して扉２の左側壁中央部に延出形成された凸部、２５は外部導線導入スペースである。
【０００９】
図を参照して本実施の形態１を詳細説明する。
火災報知設備用機器３０（例えば、火災受信機）は、筐体本体１と筐体本体１の前面開口部を開閉自在に覆う扉２とによって断面略箱型形状の筐体３が構成されている。筐体本体１は、左側壁１ｓ、右側壁、上側壁、下側壁、及びこれら側壁に連結された背面板１ｈによって構成される。背面板１ｈは、図４に示すように、左側壁１ｓ、右側壁、上側壁、下側壁の背面側縁部を連結するように配置されるのではなく、これら側壁の背面側縁部より前面側方向に位置した部位で、これら側壁を連結するように配置されている。このように、筐体本体１は断面略Ｈ型形状に形成されており、また、背面板１ｈの背面側には、外部導線導入スペース２５が形成されている。
【００１０】
このような火災報知設備用機器３０は、建物の壁面等に固定され、火災センサによる火災発生時の温度や発煙状態を電気的信号として受信し、これらを予めプリント基板４により設定されたプログラムにより処理し、必要に応じて、例えば防火シャタの閉鎖、スプリンクラーよりの放水、警報ベルの鳴動等、被制御機器を制御する制御信号を発信する。
従って、プリント基板４の誤動作、故障等はこのシステムとして致命傷となるものであり、プリント基板４に対する電気的結線は、誤りなく、且つ確実にしかも効率よく施工されることが必要である。
【００１１】
通常筐体３内における、要素機器の配置は、要素機器、例えばプリント基板４、外部電源用トランス１６、停電時の予備電源であるバッテリ、警報用スピーカ１５等その大きさ、形状や外部導線５との関連により、またこれらを収容する筐体３自体の大きさや成形コストにより、概ね規制されてしまう場合が多い。
本実施の形態１においては、比較的小形の火災報知設備用機器３０であって、筐体３内においてプリント基板４を中段に配置し、外部電源用トランス１６はその大きさ（特に厚さ）や重量の点より下段に、また、停電時の予備電源としてのバッテリはストッパ８を設けた棚部６を介して上段に配置されている。
【００１２】
また、火災報知設備用機器３０内には、該機器を作動させるための外部電源用配線、火災センサよりの信号受信用配線、本機器より被制御機器に発信される制御信号用配線、および前記各要素機器間を連結接続するための配線など、多くの配線群が内挿されている。
ここで、外部導線５としての前記信号受信用配線、制御信号用配線は、筐体本体１の背面方向の壁面より、または側面方向の壁際部分より、外部導線導入スペース２５内へ導入され、図４に示すように、筐体本体１の左側壁1ｓと電線接続部２０との間であって、筐体本体１の背面板１ｈに設けられた外部導線導入口２１よりプリント基板４が配設された室に立ち上げられ、その外部導線５を適宜屈曲してその先端の電線５ａ部分を、、プリント基板４の電線接続部２０の電線差込口２０ａに挿入されて連結バネ機構によって固定される。
【００１３】
この間の施工者の作業形態は、（イ）外部導線５の外部導線導入口２１よりの立ち上げ作業、（ロ）外部導線５を接合のため適宜屈曲する作業、（ハ）外部導線５の電線５ａ部分の電線差込口２０ａへの挿入固定作業、等いずれも極めて限られた狭いスペースにおける手作業となっている。従来このスペースはいずれも拳１個程度の大きさを必要とし、その分に相当するものを筐体を大きくすることにより確保していた。
しかしながら、本実施の形態１においては、筐体本体１の大きさを何ら大きくすることなく、この作業形態のためのスペースを確保するものである。
すなわち、筐体本体１の左側壁１ｓにおける電線接続部２０に対向した部位に、筐体本体１の前面側縁部１ｅより適宜の大きさの段落ち状の凹部２２を設け、筐体３外部のスペースを施工スペースとして活用できるようにして、手作業に必要なスペースを確保するものである。
【００１４】
ここで、上記（イ）、（ロ）、（ハ）の作業形態について説明すると、上記（イ）の作業においては、施工者は凹部２２上に拳をおき、指先を外部導線導入口２１内に伸ばして、外部導線導入スペース２５に導入された状態の外部導線５をつまんで、外部導線５を筐体本体１（プリント基板４が配設された室）内に引き込む作業を行う。上記（ロ）の作業においては、施工者は外部導線５を筐体本体１内から前面方向に引き出して、電線接続部２０方向に屈曲するなどの作業を行う。上記（ハ）の作業においては、施工者は外部導線５をつまんだ状態の拳を凹部２２上におき、電線接続部２０方向（左から右へ）に動かして、外部導線５の電線５ａを電線接続部２０の電線接続口２０ａへ挿入固定する作業を行う。そのため、凹部２２を形成することよって、上記（イ）の作業において、筐体本体１の前面側から外部導線５をつまみ易くなり、また、上記（ハ）の作業において、外部導線５をつまんだ状態の拳を電線接続部２０方向に動かすときに、左側壁１ｓが邪魔にならずに、電線５ａの挿入固定作業を容易に行える。
【００１５】
従って、その段落ち状の凹部２２の形状、大きさは、必要スペース確保のために重要な意味を有している。
本実施の形態１においては、段落ち状の凹部２２の凹み位置（凹み量）は、前記電線接続部２０の電線差込口２０ａへの外部導線５の電線５ａを差込むのに至便な所定の凹み位置（凹み量）としたものである。
多くの実用試験の結果、前記所定の凹み量としての筐体本体１の前面側縁部１ｅ（凹部２２の上端部）から凹部２２の下端部までの長さＨｃは、筐体本体１の前面側縁部１ｅから電線接続部２０の電線差込口２０ａまでの長さｈｃよりも同一またはそれ以上の長さとすることが好ましいとの知見を得た。言い換えれば、前記所定の凹み位置としての背面板１ｈから凹部２２の下端部までの高さＨｌは、背面板１ｈから電線接続部２０の電線差込口２０ａまでの高さｈｌに対して、同一またはそれ以下の高さとすることが好ましいとの知見を得た。
【００１６】
なお、  凹み位置Ｈｌが、電線差込口２０ａの高さ位置ｈｌ以上であると、特に上記（ハ）の作業における電線接続部２０への電線５ａの差込み固定作業が難しくなるが、凹み位置Ｈｌが、電線接続部の高さ位置ｈｌに対して、略同一の高さまたはそれ以下、つまり、Ｈｌ＝ｈｌ＋０〜５ｍｍ程度を含む高さ以下であっても、左側壁１ｓがほぼ邪魔にならずに、容易に差込み作業を行える。
これにより、施工性よく、容易に外部導線５を電線接続部２０の電線差込口２０ａに差し込み固定することができる。
【００１７】
また、凹み位置Ｈｌは、凹部２２内に拳を入れて指を伸ばしたときに、延ばした指先が外部電線導入口１７から背面板１ｈの背面側に至る程度の高さ（例えば、Ｈｌ＝０〜４０ｍｍ程度）でもあるように形成されている。そのため、上記（イ）の作業において、筐体本体１の前面側から外部導線５を容易につまんで引き込むことができる。
また、筐体本体１が断面略Ｈ型形状であるため、凹部２２を形成しても、凹部２２の下端部と左側壁の背面側縁部との間隔を保持することができ、筐体本体１の剛性を良好に保つことができる。
【００１８】
段落ち状の凹部２２の幅は、作業的には拳幅１個分（約１００ｍｍ）以上の幅であればよく、むしろ段落ち状の凹部２２と係合する扉の凸部２３とのデザイン的要素で決められる。また、段落ち状の凹部２２の各角部はＲ形状とすることにより、安全面のカバーをすることができる。
【産業上の利用可能性】
【００１９】
上述のごとく、本実施の形態として、電気的接合施工作業の容易な火災報知設備用機器について説明したが、同一主旨をもって、筐体の内壁面近傍に電線接続部を有する制御機器等にも適用可能である。
なお、火災報知設備用機器として火災受信機を例に挙げて説明したが、火災受信機以外にも、連動制御盤や火災表示機、火災警報器等の電線接続部を有する機器に適用可能である。
【図面の簡単な説明】
【００２０】
【図１】本実施の形態１における筐体の外観図である。
【図２】本実施の形態１における筐体の扉を開放した状態の概要を示す斜視図である。
【図３】本実施の形態１における概要を説明するための斜視参考図である。
【図４】本実施の形態１における外部導線と電線接続部との関連を説明する参考図である。
【符号の説明】
【００２１】
１    筐体本体
１ｓ  筐体本体の左側壁
１ｅ  筐体本体の左側壁の前面側縁部
２    扉
３    筐体
４    プリント基板
５    外部導線
５ａ  外部導線の電線
６    バッテリ用の棚部
８    バッテリ用のストッパ
１５    スピーカ
１６    外部電源用のトランス
１７    外部導線導入口
２０    電線接続部
２０ａ  電線差込口
２２    段落ち状の凹部
２３    扉の凸部
【図１】
2007094760.tif 000003
【図２】
2007094760.tif 000004
【図３】
2007094760.tif 000005
【図４】
2007094760.tif 000006